(57)【要約】【課題】箱蓋を画架として使用できる画材箱に関し、画架の組立や収納操作が簡単で、箱の寸法より大きなカンバスを取り付けることができ、持ち運び時に衣服やバッグを汚すことがない画材箱を提供する。【解決手段】箱本体と、箱蓋と、箱蓋上面の幅中央に設けたガイド杆と、ガイド杆に挿通された昇降杆と、昇降杆の先端に設けた押さえ部材と、箱本体の後縁両端に後方左右に開閉自在に枢着した足部材と、ガイド杆に揺動自在に連結された支え杆及び支えバーと、支えバーの先端と足部材とを係合する係合対とを備えている。開いた箱蓋は、開いた足部材に支えバーの先端を係合することにより、所望角度で保持される。昇降杆の後端は、箱蓋上面に添設された支え杆の凹溝内に収納される。【選択図】図１
2016077537.tif 000002
【特許請求の範囲】
【請求項１】
上面開口を備えた箱本体と、
箱本体の後縁に開閉自在に枢着された箱蓋と、箱蓋上面の幅中央に貼着された箱蓋上面との間にガイド孔を形成している逆凹形断面のガイド杆と、このガイド杆の後端に箱蓋の枢着軸と平行な軸回りに揺動自在に前端を枢着されたガイド杆と同断面の支え杆と、ガイド孔に摺動自在に挿通されたガイド杆より長い長さを有する昇降杆と、この昇降杆の先端に固定された押さえ部材とを備え、
支え杆によって斜めに起立した状態で保持された箱蓋の内側面に、キャンバスないし画板が前記押さえ部材と、箱蓋の内側に取り付けた受け部材との間で保持される、画材箱。
【請求項２】
凹形断面の前記支え杆がその凹溝内に突出する突起を備え、昇降杆がその下降端において前記突起を受け入れる係止孔を備えている、請求項１記載の画材箱。
【請求項３】
上面開口を備えた箱本体と、
箱本体の後縁に開閉自在に枢着された箱蓋と、
箱本体の両側面後縁に左右方向後方に開閉自在に枢着された足部材と、
前端が箱蓋上面の前後方向中間部に箱蓋の枢着軸と平行な軸回りに揺動自在に枢着された支え杆と、この支え杆の後端から左右に伸びる支えバーと、この支えバーの両端と開かれた左右の足部材のそれぞれとを係合する係合対とを備え、
開いた足部材と支えバーの両端を係合することにより開いた箱蓋が斜めに起立した状態で保持され、箱蓋を閉じたときに、支え杆が箱蓋上面に添設され、足部材が箱本体の後面に添設され、支えバーが箱蓋の後面に添設される、請求項１記載の画材箱。
【請求項４】
左右の足部材の少なくとも先端側が重なり合った状態で箱本体の後面に添設される、請求項３記載の画材箱。
【請求項５】
前記足部材が、閉方向に付勢されて枢着されており、前記係合対が、角断面の支えバーの先端に形成した円筒端と、足部材に設けた複数の係合孔で形成されている、請求項３又は４記載の画材箱。
【発明の詳細な説明】
【技術分野】
【０００１】
この発明は、絵の具、パステル、クレヨンなどの画材を入れて持ち運ぶ画材箱に関するもので、スケッチブックやキャンバスを斜め起立状態で保持できる画材箱に関するものである。
【背景技術】
【０００２】
不使用時に箱の上面を塞ぐように折畳まれる画架を備えた画材箱は公知である。この種の画材箱は、通常、板状の画架の下縁を画材箱の上面前縁（絵を描くために箱を机上に置いた状態での箱上面の使用者側）に蝶番で連結した構造をしており、画材の収納部が引出し式に手前に引き出せるようになっている。使用者は、画材箱を机上に置き、画架と支え杆を起こしてねじで画架の角度を固定し、起立した画架の手前面にキャンバスやスケッチブックを取り付け、引出しを手前側に引き出して使用する。
【０００３】
起立した画架を支える支え杆は、通常、画架の両側に付いている。また、キャンバスやスケッチブックは、画架の下縁に設けた受け部材と上縁に設けた押さえ部材とで上下方向に挟んで取り付けられる。この取り付けのために、画架上縁の押さえ部材は、昇降自在に設けられている。
【０００４】
従来の上記構造の画材箱は、箱が重く、かつ寸法も大きい。また、画架を折畳んだとき、キャンバスやスケッチブックを取り付けるための受け部材や押さえ部材が箱の外側（机上に置いたときの上方）に出っ張ったままとなるので、鞄等に入れるときにこの出っ張りが邪魔になる。また、画架の下縁の受け部材は、絵の具が付着して汚れるが、折畳んだとき、この汚れた受け部材が箱の外側に出っ張った状態でむき出しになるので、この汚れが衣服などに付着しやすい。
【０００５】
一方、画材箱の箱蓋を箱の後縁（絵を描くために机上に置いた状態での反使用者側の縁）に蝶番で連結して、箱蓋を斜めに立てて画架とする画材箱も実用されている。この構造の画材箱は、箱蓋を開いてその箱蓋の内側に嵌め込むようにキャンバスやスケッチブックを取り付けて、すぐに描き始めることができる。
【０００６】
しかし、この構造の画材箱は、箱蓋の起立姿勢を保持するために、ストッパを蝶番の近くに設けなければならないが、このストッパに大きな力がかかる。また、机上に置いただけでは絵を描いている途中で箱が後方に転倒しやすい。そのため、使用するキャンバスやスケッチブックの大きさが箱の平面程度の大きさに制限され、それより大きなキャンバスやスケッチブックを取り付けることができない。
【発明の概要】
【発明が解決しようとする課題】
【０００７】
この発明は、開いた箱蓋を画架として、すなわち、斜めに起立した箱蓋にスケッチブックやキャンバスを保持して、絵を描くことができる改良された画材箱を提供することを課題としている。
【０００８】
この発明は、箱の寸法より大きなキャンバスやスケッチブックを取り付けることができるために箱を小型にすることができ、絵の具が付着して汚れる部分が収納時には箱の内側を向くために、持ち運び時に衣服を汚したり、バッグに収納したときにバッグの中を汚すことがなく、構造が簡単で小型軽量な画材箱を提供することを課題としている。
【課題を解決するための手段】
【０００９】
画材箱は、箱本体１と、後縁を箱本体１の後縁に蝶番１１で開閉自在に枢着した箱蓋２と、箱本体１の両側面後縁に左右方向後方に開閉自在に枢着された足部材３（３ａ、３ｂ）とを備えている。足部材３は、係合部３１を備えている。
【００１０】
箱蓋上面の幅中央の前側（箱蓋を開いたときの上方）には、断面凹形のガイド杆４が貼着され、箱蓋上面との間に前後方向のガイド孔４１が形成されている。ガイド杆４の後端には、箱蓋２の開閉軸（蝶番１１の軸）と平行な軸回りに揺動自在に支え杆５が蝶番１４で枢支連結されている。支え杆５の断面形状は、ガイド杆４のそれと同形である。支え杆５の後端には、左右に伸びる支えバー６が設けられ、その両端は足部材の係合部３１と係合する係合端６１となっている。
【００１１】
ガイド杆４のガイド孔４１には、箱蓋２の前後方向の長さと略等しい長さの昇降杆９が摺動自在に挿通され、この昇降杆の先端にキャンバスやスケッチブックの上辺を押さえる押さえ部材８が設けられている。
【００１２】
開かれた箱蓋２は、支え杆５によって斜めに起立した状態で保持され、斜めに起立した箱蓋２の内側面に取り付けた受け部材７と押さえ部材８との間でキャンバスやスケッチブックが保持される。
【００１３】
凹形断面の支え杆５にその凹溝５１内に突出する突起２４を設け、押さえ部材８が箱蓋２の前面に当接するまで昇降杆９がガイド杆のガイド孔４１に押し込まれた状態で突起２４を受け入れる係止孔２３を昇降杆９に設けることにより、箱蓋２を閉じた状態で押さえ部材８を箱蓋２の前面に添設した状態で保持することができる。
【００１４】
この発明の好ましい構造の画材箱は、箱本体１の両側面後縁に左右方向後方に開閉自在に枢着された足部材３（３ａ、３ｂ）と、前端が箱蓋上面の前後方向中間部に箱蓋２の箱本体１との枢着軸と平行な軸回りに揺動自在に枢着された支え杆５と、この支え杆の後端から左右に伸びる支えバー６と、この支えバーの両端と開かれた左右の足部材３ａ、３ｂのそれぞれとを係合する係合対６１、３１を備えている。開いた足部材３と支えバー６の両端を係合することにより、開いた箱蓋２を斜めに起立した状態で保持することができる。
【００１５】
箱蓋２を閉じたときには、支え杆５が箱蓋上面に添設され、足部材３が箱本体１の後面に添設され、支えバー６が箱蓋２の後面（背面）に添設される。この場合、図示実施例に示すように、左右の足部材３ａ、３ｂの少なくとも先端側３２（３２ａ、３２ｂ）が重なり合った状態で箱本体１の後面に添設されるように、足部材３の先端側３２の厚さを基端の厚さの半分の厚さとすることにより、箱幅の半分長さより長い長さの足部材を設けることができ、箱本体の長手方向を前後方向としたときの箱蓋２の角度の変更幅を大きくすることができる。
【００１６】
また、足部材３をばね蝶番１５などで閉方向、すなわち箱本体の後面に添設される方向に付勢して設けることにより、使用しないときの足部材３の箱本体１への添設状態を保持することができる。前記係合対は、足部材３の上縁に支えバー６の先端を受け入れる複数の凹部を設ける構造としても良いが、支えバー６の先端の円筒端６１と足部材３に設けた複数の係合孔３１とで形成することにより、斜めに起立した箱蓋２に前倒れ方向の外力が加わったり支えバー６を押し上げる方向の外力が加わっても、箱蓋２の所定の起立状態を保持できる。
【発明の効果】
【００１７】
この発明の画材箱は、箱蓋２の前後寸法と同程度の長さの昇降杆９を設けることにより、開いた箱蓋２の内側面に添わせて、箱本体又は箱蓋の後縁側に設けた受け部材７と昇降杆の先端の押さえ部材８の間で、箱本体１の長手寸法の２倍近い寸法のキャンバスやスケッチブックを開いた箱蓋２の内側面に沿わせた起立状態で保持することができる。 
【００１８】
後方に展開した足部材３の後端が机上に支持されて後方斜めに起立した箱蓋２に添設されたキャンバスやスケッチブックを支持するので、大きなキャンバスやスケッチブックを取り付けても箱が後方に倒れることがない。例えば長辺側を前後方向としたＦ４の大きさの画材箱で、Ｆ１２縦のキャンバスやスケッチブックを押さえ部材で押さえた状態で取り付けることができる。
【００１９】
箱蓋の寸法より小さい寸法のキャンバスやスケッチブックは、箱蓋の内側に納めて保持するか、箱蓋の中間に受け部材７を係止する切欠溝２５や突起を設けてそこに受け部材７を係止することにより、受け部材と押さえ部材とで上下縁を保持して取り付けることができる。
【００２０】
起立した箱蓋２に立てかけたキャンバスやスケッチブックの重量は、箱本体の後方へ開いた足部材３で支持される。支えバー６の先端と足部材３の係合位置を変えることにより、キャンバスやスケッチブックの角度を変更できる。箱蓋を閉じた状態では、支え杆５が箱蓋２の上面に添設され、足部材３が箱本体１の後面に添設され、支えバー６が箱蓋２の後面に添設されるので、コンパクトな箱形となり、持ち運びが容易である。
【００２１】
この発明の画材箱は、キャンバスやスケッチブックの取り付けや描いた後の画材の収納も少ない操作で行うことができる。また、不使用時には、絵の具などが付着して汚れる箱蓋２の内側面や受け部材７を箱の内側に収納でき、押さえ部材８も箱本体側を向くので、持ち運び時に衣服などを汚す虞も少ない。
【図面の簡単な説明】
【００２２】
【図１】開いた画材箱を後方より見た斜視図
【図２】閉じた画材箱を後方より見た斜視図
【図３】開いた画材箱の中央部の断面側面図
【発明を実施するための形態】
【００２３】
以下、図面を参照してこの発明を更に説明する。図において、１は箱本体、２は箱蓋、３は足部材、４はガイド杆、５は支え杆、６は支えバー、７は受け部材、８は押さえ部材、９は昇降杆である。
【００２４】
絵を描くときに使用する筆、絵の具、水筒や油壺は、箱本体１に収納される。箱蓋２は、後縁（使用時に反使用者側となる縁）を箱本体１の後縁に蝶番１１で上下方向に開閉自在に枢着されている。パレットや受け部材７は、箱蓋２の内側に収納されるようになっており、図には示してないが、収納したパレットや受け部材を押さえる金具が箱蓋２の内側に設けられている。箱本体１と箱蓋２の前面には、箱蓋２を閉状態で係止する留め金１２が取り付けられ、箱本体１の側面一箇所には、把手１３が設けられている。
【００２５】
箱蓋２の上面の前方（箱蓋を開いたときの上方）の幅方向中央には、箱蓋２の前後長の約半分の長さのガイド杆４が貼着されている。ガイド杆４は、長手方向の凹溝を備えた断面凹形の部材で、その凹溝を設けた面を箱蓋２の上面に貼着することにより、箱蓋上面との間に昇降杆９を摺動自在に案内するガイド孔４１が形成される。箱蓋２の前後方向の略中間に位置するガイド杆４の後端には、支え杆５の先端が蝶番１４で箱蓋２を開閉自在に枢着している蝶番１１の軸と平行な軸回りに揺動可能に連結されている。支え杆５の断面形状は、ガイド杆４の断面形状と同じである。支え杆５には、その凹溝５１の一箇所に凹溝５１内に突出する突起２４が設けられている。
【００２６】
支え杆５の基端（後端）には、左右に伸びる支えバー６が取り付けられている。支えバー６は、角形断面であるが、その両端は短い長さの円筒端６１となっている。円筒端６１を含めた支えバー６の長さは、箱蓋２の幅寸法と同じであり、支え杆５を箱蓋の上面に添設させると、支えバー６は、箱蓋２の後面に添設された状態となる。
【００２７】
箱本体１の両側面の後端には、ばね蝶番１５で足部材３（３ａ、３ｂ）が枢着されている。両側の足部材３は、箱本体１の幅寸法の半分より長い長さを備えており、箱本体１の後面（背面）に添設されるように閉じたときに重なり合う部分がばね蝶番１５を取り付けた基端部分の厚さ（閉じたときの前後方向の厚さ）の半分の厚さとなっている。足部材３の厚さを半分にした部分に支えバーの円筒端６１と緩く嵌合する複数の係合孔３１が設けられている。
【００２８】
実施例に示した画材箱は、矩形の箱の長手方向を前後方向としており、絵を描くのに適切な角度で箱蓋２を立てるために、箱本体の幅寸法の半分より長い足部材３を設けている。箱本体１の短辺側を前後方向とするときは、足部材３の長さを箱の長辺側となる幅寸法の半分長さとしても、箱蓋２を適切な角度に起立させることができるので、一般的には足部材３に半分厚さの部分を設ける必要はない。
【００２９】
キャンバスやスケッチブック１０の下辺を受ける受け部材７は、箱蓋２の内側の長手方向に収まる長さとし、箱蓋２の両側面板２２の内側に設けた複数の切欠溝２５に係入することにより、起立した箱蓋２の使用者側の面に取り付けられるようになっている。
【００３０】
キャンバスやスケッチブック１０の上辺を押さえる押さえ部材８は、ガイド杆のガイド孔４１に摺動自在に挿通される昇降杆９の先端に固定されている。昇降杆９は、箱蓋２の長手方向（前後方向）の寸法と略同一の長さで、その長手中央より基端側（反押さえ部材側）の一箇所に箱蓋上面と直交する方向の係止孔２３が設けられている。昇降杆９を縮退させた状態、すなわち押さえ部材８が箱蓋２の前面に添設した状態で支え杆５を箱蓋２の上面に添設すると、支え杆５に設けた凹溝５１内に突出している突起２４が昇降杆の係止孔２３に係入されて昇降杆９の縮退状態、すなわち押さえ部材８が箱蓋２の前面に添設された状態が保持される。
【００３１】
図２には、箱蓋２を閉じた実施例の画材箱の後方から見た状態が示されている。この状態で足部材３は、ばね蝶番１５の付勢力により、箱本体１の後面に添設された状態となっている。支え杆５は、蝶番１４を箱蓋上面に付勢する方向のばね蝶番とするか、支え杆５と箱蓋２又は折り畳まれた足部材３との間で係止する留め金を設けるか、あるいは支え杆５と箱蓋上面に設けた磁石で吸着するかなどの手段により、箱蓋２の上面に添設した状態で保持することができる。支え杆５が箱蓋２の上面に添設された状態では、支えバー６が箱蓋２の後面に添設された状態となり、押さえ部材８は、箱蓋２の前面中央に添設された状態で保持される。
【００３２】
図２の状態から足部材３を箱本体１の後方へと左右に開き、箱蓋２を開いて支え杆５を箱蓋上面から離して支えバー６の円筒端６１を開いた足部材の適宜な位置に係合すると、箱蓋２は斜立した状態で保持される。上述した実施例の場合には、支えバー６の先端の円筒端６１を足部材３に設けた係合孔３１の１個に挿入すると、ばね蝶番１５の付勢力によって足部材３が支えバー６の円筒端６１と角断面部との間の段面に押し付けられた状態となり、支えバー６に外力が加わったり、箱蓋２を前方に倒すような外力が加わっても箱蓋２の斜立状態が保持される。
【００３３】
この状態で箱蓋２に収納した受け部材７を斜立した箱蓋２の内側の所望の高さの切欠溝２５に差し込んでセットし、支え杆５が箱蓋上面から離れることによって突起２４と係止孔２３との係止が外れて昇降自在となった押さえ部材８を持ち上げ、キャンバスやスケッチブック１０を受け部材７で下辺を支持して箱蓋２の内側に添設し、押さえ部材８を下ろしてキャンバスやスケッチブック１０の上辺を押さえ部材８で押さえれば、絵を描く準備が完了する。
【００３４】
箱蓋２の起立角、従って、箱蓋に取り付けたキャンバスやスケッチブック１０の角度は、支えバー６の円筒端６１と嵌合する足部材の係合孔３１を変更することによって変更することができる。
【符号の説明】
【００３５】
１  箱本体
２  箱蓋
３（３ａ、３ｂ）  足部材
４  ガイド杆
５  支え杆
６  支えバー
７  受け部材
８  押さえ部材
９  昇降杆
１１  蝶番
１５  ばね蝶番
２３  係止孔
２４  突起
３１  係合部
３２（３２ａ、３２ｂ）  足部材の先端側
４１  ガイド孔
５１  凹溝
６１  円筒端
【図１】
2016077537.tif 000003
【図２】
2016077537.tif 000004
【図３】
2016077537.tif 000005